(57)【要約】      （修正有）【課題】肉薄の板金から形成された外装ケースのエッジが露出することに起因する使用者への損傷を確実に防止しつつ、デザイン性の向上をも達成することが可能な電子機器の提供。【解決手段】電子機器は、外装ケース３Ｏと、機器筐体３Ｉと、この外装ケース３Ｏと一体に機器筐体３Ｉに装着される中間部材３Ｍとから構成され、外装ケース３Ｏの下縁部を、エッジが外方に露出しないよう内方側へ曲げ加工するとともに、この中間部材３Ｍの撓みを抑制させるサポート部３Ｉｓを機器筐体３Ｉに設けている。【選択図】図４
2008311308.tif 000002
【特許請求の範囲】
【請求項１】
肉薄の板金から形成された外装ケースを、樹脂材料から形成された中間部材を介して、機器筐体に装着して成る電子機器において、
正面板の周囲を巡る側板の下縁部を、板金のエッジが外方に露出しないよう内方側へ曲げ加工するとともに、前記側板の内方へ突出する突起部を形成した外装ケースと、
前記外装ケースの内面に倣って形成され、前記外装ケースの側板に臨む周板に、前記外装ケースの前記突起部と係合する係合部を形成し、前記係合部に前記突起部を係合させ、前記外装ケースと一体に前記機器筐体に装着される中間部材と、
前記中間部材に装着された状態において、前記中間部材における前記周板の内側に臨み、前記周板の撓みを抑制して前記係合部と前記突起部との係合を維持させるサポート部を形成した機器筐体と、
を具備して成ることを特徴とする電子機器。
【請求項２】
前記外装ケースにおける前記突起部が、前記外装ケースの側板に対して断面Ｌ字形状に形成されていることを特徴とする請求項１記載の電子機器。
【請求項３】
前記外装ケースにおける前記突起部が、前記外装ケースの側板に対して断面Ｊ字形状の形成されていることを特徴とする請求項１記載の電子機器。
【請求項４】
前記外装ケースにおいて曲げ加工が為されていない部位に、板金のエッジ部を覆い隠す態様で照光部材を設置したことを特徴する請求項１記載の電子機器。
【請求項５】
透光性を備えた前記中間部材と前記照光部材とを一体に形成し、前記中間部材により光源からの照明を前記照光部材に導光するよう構成したことを特徴とする請求項４記載の電子機器。
【発明の詳細な説明】
【技術分野】
【０００１】
本発明は、肉薄の板金から形成された外装ケースを、樹脂材料から形成された中間部材を介して、機器筐体に装着して成る電子機器に関するものである。
【背景技術】
【０００２】
昨今の電子機器、特に携帯を意図した電子機器においては、薄型化や強度の向上が図れることから、板金を用いて機器筐体を形成したものがある(例えば、特許文献１参照)。
【０００３】
また、電子機器の１つである携帯電話機においては、強度を向上させる観点とともに、美感や触感の向上をも目的として、板金から形成した外装ケースを、機器筐体の外部に装着するものが提供されている。
【０００４】
図１５および図１６に示した従来の携帯電話機Ａは、多数の操作キー等を有する下筐体Ｂと、液晶表示部等を有する上筐体Ｃとを、ヒンジ部Ｈを介して開閉自在に連結することによって構成されている。
【０００５】
この携帯電話機Ａにおける上筐体Ｃは、例えばマグネシウム合金から成る上内ケースＩの外方に、樹脂材料から成る中間ケース(中間部材)Ｍを介して、薄肉の板金をプレス成型加工して成る外装ケースＯを取り付けることによって構成されている。
【０００６】
上記外装ケースＯは、正面板Ｏｆと該正面板Ｏｆの縁部から屈曲する側板Ｏｓ、Ｏｓ…とを有し、また中間ケースＭも、天板Ｍｔと該天板Ｍｔの縁部から屈曲する周板Ｍｓ、Ｍｓ…とを有しており、上記中間ケースＭは、強力な接着材や両面接着テープを用いて、外装ケースＯの内面に固定設置されている。
【０００７】
また、上記中間ケースＭの天板Ｍｔには、取付ボスＭｂ、Ｍｂ…が形成されており、この取付ボスＭｂ、Ｍｂ…に上内ケースＩをネジ止めすることによって、上内ケースＩに中間ケースＭを介して外装ケースＯが固定設置されている。
【０００８】
上記上内ケースＩには、各種の回路基板Ｅが搭載されているとともに、その正面側(図
１６中の下方側)には、液晶表示ユニットＬおよびカバーガラスＧが取り付けられている
。
【０００９】
さらに、上記上内ケースＩの外周縁には、薄肉の板金から成る外装ケースＯのエッジＯｅが外部に露呈して使用者の手指等を傷付けることを未然に防止するべく、上記外装ケースＯのエッジＯｅを覆うリブＩｒが形成されている。
【特許文献１】特開２００４−３３５６４４号公報
【発明の開示】
【発明が解決しようとする課題】
【００１０】
ところで、上述した従来の携帯電話機Ａでは、外装ケースＯにおける側板ＯｓのエッジＯｅを、上内ケースＩの外周縁に形成したリブＩｒで覆っているため、このリブＩｒが外装ケースＯにおける側板Ｏの全周に亘って外方に突出することとなり、上記外装ケースＯを金属から作成したにも関わらず、デザイン性に欠けた製品となってしまう不都合があった。
【００１１】
また、従来の携帯電話機Ａにおいては、中間ケースＭと外装ケースＯとを、上述した如く強力な接着剤等を用いて固定設置しているため、修理等に際して中間ケースＭと外装ケースＯとを取り外す場合、接着力に抗して外装ケースＯに大きな外力を掛けると、薄肉の金属板から形成されている外装ケースＯが歪んでしまい、このためにリペア作業が極めて困難なものとなる不都合があった。
【００１２】
本発明は上記実状に鑑みて、外装ケースのエッジが露出することに起因する使用者への損傷を確実に防止しつつ、デザイン性の向上をも達成することの可能な電子機器の提供を目的とするものである。
【００１３】
また、本発明は上記実状に鑑みて、外装ケースと中間部材との取付け／取外しを簡便に行うことができ、もってリペア作業を容易に実施することの可能な電子機器の提供を目的とするものである。
【課題を解決するための手段】
【００１４】
請求項１の発明に関わる電子機器は、肉薄の板金から形成された外装ケースを、樹脂材料から形成された中間部材を介して、機器筐体に装着して成る電子機器において、正面板の周囲を巡る側板の下縁部を、板金のエッジが外方に露出しないよう内方側へ曲げ加工するとともに、側板の内方へ突出する突起部を形成した外装ケースと、この外装ケースの内面に倣って形成され、外装ケースの側板に臨む周板に、外装ケースの突起部と係合する係合部を形成し、係合部に突起部を係合させ、外装ケースと一体に機器筐体に装着される中間部材と、この中間部材に装着された状態において、中間部材における周板の内側に臨み、周板の撓みを抑制して係合部と突起部との係合を維持させるサポート部を形成した機器筐体とを具備して成ることを特徴としている。
【００１５】
請求項２の発明に関わる電子機器は、請求項１の発明に関わる電子機器において、外装ケースにおける突起部が、外装ケースの側板に対して断面Ｌ字形状に形成されていることを特徴としている。
【００１６】
請求項３の発明に関わる電子機器は、請求項１の発明に関わる電子機器において、外装ケースにおける突起部が、外装ケースの側板に対して断面Ｊ字形状の形成されていることを特徴としている。
【００１７】
請求項４の発明に関わる電子機器は、請求項１の発明に関わる電子機器において、外装ケースにおいて曲げ加工が為されていない部位に、板金のエッジ部を覆い隠す態様で照光部材を設置したことを特徴としている。
【００１８】
請求項５の発明に関わる電子機器は、請求項４の発明に関わる電子機器において、透光性を備えた中間部材と照光部材とを一体に形成し、中間部材により光源からの照明を照光部材に導光するよう構成したことを特徴としている。
【発明の効果】
【００１９】
請求項１の発明に関わる電子機器では、外装ケースにおける側板の下縁部を、板金のエッジが外方に露出しないよう内方側へ曲げ加工したことで、外装ケースのエッジが露出することによる使用者への損傷を確実に防止でき、併せて外装ケースのエッジを覆うように筐体の一部を形成する必要がないため、デザイン性の向上をも達成することが可能となる。
【００２０】
また、外装ケースにおける側板の下縁部を、内方側へ曲げ加工して側板の内方へ突出する突起部を形成するとともに、樹脂材料から成る中間部材の周板に、外装ケースの突起部と係合する係合部を形成し、突起部と係合部とを互いに係合することで、外装ケースと中間部材とを一体に組み付けているので、樹脂材料から成る中間部材の周板を変形させることで、容易に外装ケースと中間部材とを取付け／取外しでき、もってリペア作業を容易に実施することが可能となる。
【００２１】
また、中間部材に装着される機器筐体に、上記中間部材における周板の内側に臨むサポート部を形成し、周板の撓みを抑制して係合部と突起部との係合を維持させたことで、機器筐体に中間部材を組み付けた状態においては、中間部材と外装ケースとが容易に外れることなく確実に固定することが可能となる。
【００２２】
さらに、外装ケースにおける側板の下縁部を曲げ加工したことで、外力に対する外装ケースの剛性が向上することとなり、延いては電子機器における強度を向上させることが可能となる。
【００２３】
請求項２の発明に関わる電子機器では、外装ケースの突起部を側板に対して断面Ｌ字形状に形成したことで、簡易な加工で外装ケースの突起部を形成することが可能となる。
【００２４】
請求項３の発明に関わる電子機器では、外装ケースの突起部を側板に対して断面Ｊ字形状に形成したことで、簡易な加工で外装ケースの突起部を形成することが可能となる。
【００２５】
請求項４の発明に関わる電子機器では、外装ケースにおいて曲げ加工が為されていない部位に、板金のエッジ部を覆い隠す態様で照光部材を設置したことで、デザイン性を損なうことなく、外装ケースのエッジが露出することによる使用者への損傷を確実に防止できる。
【００２６】
請求項５の発明に関わる電子機器によれば、透光性を備えた中間部材と照光部材とを一体に形成し、中間部材により光源からの照明を照光部材に導光するよう構成したことで、部品点数の削減を達成することが可能となる。
【発明を実施するための最良の形態】
【００２７】
以下、実施例を示す図面に基づいて、本発明を詳細に説明する。  
図１〜図８は、電子機器の一態様である携帯電話機に本発明を適用した実施例を示しており、図１および図２に示す如く、この携帯電話機１は、本体を構成する下筐体２と、蓋体を構成する上筐体３とを有し、これら下筐体２と上筐体３とは、回転２軸ヒンジ機構(
図示せず)を備えた連結体４を介して、互いに開閉自在に連結されているとともに、開閉
軸と直交する旋回軸を中心として旋回自在に連結されている。
【００２８】
上記携帯電話機１における上筐体３は、図３に示す如く、極めて扁平な長方体に近似した外観形状を呈しており、該上筐体３の正面には大型のメイン液晶画面３ｍ、および受話部３ｒ等が設けられ、同じく上筐体３の背面には、小形のサブ液晶画面３ｓが設けられている。
【００２９】
また、上記携帯電話機１における上筐体３は、図４に示す如く、例えばマグネシウム合金から形成された上内ケース(機器筐体)３Ｉと、樹脂材料から形成された中間ケース(中
間部材)３Ｍと、薄肉の板金をプレス成型加工して成る外装ケース３Ｏとを具備しており
、上内ケース３Ｉの外方に、中間ケース３Ｍを介して外装ケース３Ｏを組み付けることによって構成されている。
【００３０】
また、上記上筐体３の内部には、基板３ｅが上内ケース３Ｉに実装されているとともに、上記上内ケース３Ｉの正面側(図４中の下方側)には、液晶表示ユニット３ｌおよびカバーガラス３ｇが取り付けられている。
【００３１】
図４〜図７に示す如く、上筐体３の一部を構成する外装ケース３Ｏは、略矩形状平面を呈する正面板３Ｏｆと、該正面板３Ｏｆにおける縁部から屈曲する側板３Ｏｓ、３Ｏｓ…とを有しており、正面板３Ｏｆには、サブ液晶画面３ｓ(図１〜３参照)用の開口３Ｏｏが形成されている。
【００３２】
また、上記外装ケース３Ｏにおける側板３Ｏｓの下縁部は、板金のエッジが外方へ向けて露出することのないよう、内方側へ側板３Ｏｓに対して断面Ｌ字形状に曲げ加工されており、この曲げ加工された縁部によって側板３Ｏｓの内方へ突出する突起部３Ｏｐが形成されている。
【００３３】
一方、上筐体３の一部を構成する中間ケース３Ｍは、上記外装ケース３Ｏの正面板３Ｏｆに対応した天板３Ｍｔと、該天板３Ｍｔにおける縁部から屈曲する周板３Ｍｓ、３Ｍｓ…とを有しており、これら周板３Ｍｓの外面には、上述した外装ケース３Ｏの突起部３Ｏｐと係合する系合爪(係合部)３Ｍｐが形成されている。
【００３４】
上記中間ケース３Ｍは、上述した外装ケース３Ｏの内面に倣って嵌め入れられ、系合爪(係合部)３Ｍｐを外装ケース３Ｏの突起部３Ｏｐに係合させることによって、上記外装ケース３Ｏに対して固定設置されている。
【００３５】
なお、外装ケース３Ｏの正面板３Ｏｆと、中間ケース３Ｍの天板３Ｍｔとを、接着力の弱い両面接着テープ(図示せず)を用いて貼着しておくことも、外装ケース３Ｏに中間ケース３Ｍを固定設置する上で有効である。
【００３６】
一方、上筐体３の一部を構成する上内ケース３Ｉは、上述した外装ケース３Ｏおよび中間ケース３Ｍと対応した略矩形状平面を呈しており、上記中間ケース３Ｍに形成された取付ボス(図示せず)にネジ止めされることにより、外装ケース３Ｏおよび中間ケース３Ｍと一体に組み付けられている。
【００３７】
また、上記上内ケース３Ｉにおける外周縁には、外装ケース３Ｏと中間ケース３Ｍとを組み付けることで重ね合わされた、側板３Ｏｓと周板３Ｍｓとの下端部を収容する段部３Ｉｒが形成されており、上内ケース３Ｉにおける外周面３Ｉａは、外装ケース３Ｏにおける側板３Ｏｓと面一に形成されている。
【００３８】
さらに、上記上内ケース３Ｉには、中間ケース３Ｍに組み付けられた状態において、該中間ケース３Ｍの周板３Ｍｓの内側に臨むサポート部３Ｉｓが形成されており、このサポート部３Ｉｓによって上記周板３Ｍｓの撓みを抑制するよう構成されている。
【００３９】
ここで、上述した上筐体３を組み立てる場合には、先ず、図８(ａ)に示す如く、外装ケース３Ｏの内面に中間ケース３Ｍを嵌め入れ、外装ケース３Ｏの突起部３Ｏｐに、中間ケース３Ｍの系合爪(係合部)３Ｍｐを係合させる。
【００４０】
このとき、中間ケース３Ｍは樹脂材料から形成されているため、該中間ケース３Ｍの周板３Ｍｓを撓ませることによって、容易に系合爪(係合部)３Ｍｐを外装ケース３Ｏの突起部３Ｏｐに係合させることができる。
【００４１】
次いで、図８(ｂ)に示す如く、中間ケース３Ｍに形成された取付ボス(図示せず)に、上内ケース３Ｉをネジ止めされることにより、外装ケース３Ｏと中間ケース３Ｍと上内ケース３Ｉとを一体に組み付ける。
【００４２】
このとき、外装ケース３Ｏにおける板金のエッジは、上内ケース３Ｉの段部３Ｉｒに収容され外部に露呈することはなく、また外装ケース３Ｏの側板３Ｏｓと上内ケース３Ｉの外周面３Ｉａとは、スムーズな面一の側面を形成することとなる。
【００４３】
また、上内ケース３Ｉが組み付けられた状態においては、該上内ケース３Ｉに形成されたサポート部３Ｉｓが、中間ケース３Ｍにおける周板３Ｍｓの内側に位置して、上記周板３Ｍｓが内側へ向けて撓むことを抑制するので、系合爪(係合部)３Ｍｐが突起部３Ｏｐから脱落することを防止でき、もって上内ケース３Ｉと中間ケース３Ｍとの組み付けは強固なものとなる。
【００４４】
一方、リペア作業等に伴って、上筐体３を分解する場合には、先ず、上内ケース３Ｉを中間ケース３Ｍから取り外したのち、外装ケース３Ｏの突起部３Ｏｐから、中間ケース３Ｍの系合爪(係合部)３Ｍｐを係脱させ、外装ケース３Ｏの内面から中間ケース３Ｍを取り外せば良い。
【００４５】
このとき、中間ケース３Ｍは樹脂材料から形成されているため、該中間ケース３Ｍの周板３Ｍｓを撓ませることによって、容易に系合爪(係合部)３Ｍｐを外装ケース３Ｏの突起部３Ｏｐから容易に係脱させることができる。
【００４６】
上述した構成の携帯電話機１によれば、上筐体３の外装ケース３Ｏにおける側板３Ｏｓの下縁部を、板金のエッジが外方に露出しないよう内方側へ曲げ加工したことで、外装ケース３Ｏのエッジが露出することによる使用者への損傷を確実に防止することができ、さらに外装ケース３Ｏのエッジを覆うように筐体の一部を形成する必要がないため、デザイン性の向上をも達成することが可能となる。
【００４７】
また、外装ケース３Ｏの突起部３Ｏｐを側板３Ｏｓに対して断面Ｌ字形状に形成したことで、簡易な加工によって外装ケース３Ｏに突起部３Ｏｐを形成することができ、さらに外装ケース３Ｏにおける側板３Ｏｓの下縁部を曲げ加工したことで、外力に対する外装ケース３Ｏの剛性が向上することとなり、上筐体３、延いては携帯電話機１の機械的な強度を向上させることが可能となる。
【００４８】
また、外装ケース３Ｏにおける側板３Ｏｓの下縁部を、内方側へ曲げ加工して側板の内方へ突出する突起部３Ｏｐを形成するとともに、樹脂材料から成る中間ケース３Ｍの周板３Ｍｓに、外装ケース３Ｏの突起部３Ｏｐと係合する係合部３Ｍｐを形成し、突起部３Ｏｐと係合部３Ｍｐとを互いに係合することで、外装ケース３Ｏと中間ケース３Ｍとを一体に組み付けているので、樹脂材料から成る中間ケース３Ｍの周板３ｓを変形させることで、容易に外装ケース３Ｏと中間ケース３Ｍとを取付け／取外しでき、もってリペア作業を容易に実施することが可能となる。
【００４９】
また、中間ケース３Ｍに装着される上内ケース３Ｉに、上記中間ケース３Ｍにおける周板３Ｍｓの内側に臨むサポート部３Ｉｓを形成し、周板３Ｍｓの撓みを抑制して突起部３Ｏｐと係合部３Ｍｐとの係合を維持させたことで、上内ケース３Ｉに中間ケース３Ｍを組み付けた状態においては、中間ケース３Ｍと外装ケース３Ｏとが容易に外れることなく確実に固定することが可能となる。
【００５０】
図９〜図１１は、携帯電話機に本発明を適用した他の実施例を示しており、この携帯電話機１′における上筐体３′は、例えばマグネシウム合金から形成された上内ケース(機
器筐体)３Ｉ′と、樹脂材料から形成された中間ケース(中間部材)３Ｍ′と、薄肉の板金
をプレス成型加工して成る外装ケース３Ｏ′とを具備している。
【００５１】
上記外装ケース３Ｏ′は、正面板３Ｏｆ′と該正面板３Ｏｆ′の縁部から屈曲する側板３Ｏｓ′、３Ｏｓ′…とを有し、これら側板３Ｏｓ′の下縁部は、板金のエッジが外方へ向けて露出することのないよう、内方側へ側板３Ｏｓ′に対して断面Ｊ字形状に曲げ加工されており、この曲げ加工された縁部によって側板３Ｏｓ′の内方へ突出する突起部３Ｏｐ′が形成されている。
【００５２】
上記中間ケース３Ｍ′は、上記外装ケース３Ｏ′の正面板３Ｏｆ′に対応した天板３Ｍｔ′と、該天板３Ｍｔ′における縁部から屈曲する周板３Ｍｓ′、３Ｍｓ′…とを有し、これら周板３Ｍｓ′の外面には、上述した外装ケース３Ｏ′の突起部３Ｏｐ′と係合する系合爪(係合部)３Ｍｐ′が形成されている。
【００５３】
上記上内ケース３Ｉ′は、中間ケース３Ｍ′に組み付けられた状態において、該中間ケース３Ｍ′の周板３Ｍｓ′を収容する段部３Ｉｒ′と、周板３Ｍｓ′の内側に臨むサポート部３Ｉｓ′とが形成され、上内ケース３Ｉ′における外周面３Ｉａ′は、外装ケース３Ｏ′における側板３Ｏｓ′の内面に臨んでいる。
【００５４】
すなわち、上内ケース３Ｉ′の外周面３Ｉａ′は、外装ケース３Ｏ′の側壁３Ｏｓ′によって覆われており、もって上筐体３′における外周面は、全域に亘って外装ケース３Ｏ′の側壁３Ｏｓ′から構成されている。
【００５５】
上述した携帯電話機１′の構成は、上述した外装ケース３Ｏ′における突起部３Ｏｐ′を含んだ側壁３Ｏｓ′の形状、および上内ケース３Ｉ′における段部３Ｉｒ′と外周面３Ｉａ′の形状以外、図１〜図８に示した携帯電話機１と変わるところはないので、同一の作用を成すものには、図１〜図８と同一の符号に′(ダッシュ)を附して詳細な説明は省略する。
【００５６】
上述した構成の携帯電話機１′によれば、外装ケース３Ｏ′における突起部３Ｏｐ′を、側板３Ｏｓ′の下縁部を内方側へ断面Ｊ字形状に曲げ加工したことで、上筐体３′における外周面の全域を、外装ケース３Ｏ′の側壁３Ｏｓ′で構成することができ、これによって金属から作成した外装ケース３Ｏ′のデザイン性が十分に生かされることとなる。
【００５７】
さらに、上記構成の携帯電話機１′においても、上述した携帯電話機１と同様に、外装ケース３Ｏ′のエッジが露出することによる使用者への損傷を確実に防止することができ、併せてリペア作業を容易に実施することが可能となり、さらに携帯電話機１′の機械的強度の向上、外装ケース３Ｏ′と中間ケース３Ｍ′との確実な固定等、様々な作用効果を奏し得ることは言うまでもない。
【００５８】
図１２〜図１４は、携帯電話機に本発明を適用した更に他の実施例を示しており、この携帯電話機１０は、本体を構成する下筐体１２と、蓋体を構成する上筐体１３とを、ヒンジ部１４を介して開閉自在に連結することによって構成されている。
【００５９】
また、上筐体１３の端部におけるヒンジ部１４との会合部分には、左右に照光部材１５、１５が設けられており、これら照光部材１５、１５は、上筐体１３を構成する外装ケース１３Ｏにおいて、曲げ加工が施されていない板金のエッジ部１３Ｏｅを覆い隠す態様で設置されている。
【００６０】
さらに、上記照光部材１５、１５は、外装ケース１３Ｏの内側に固定設置された中間ケース１３Ｍのホルダ部１３Ｍｈに取り付けられており、上筐体１３に収容された基板１３ｅ上のＬＥＤ(光源)１３の発光によって照光される。
【００６１】
上述した携帯電話機１０の構成は、下筐体１２と上筐体１３との開閉機構が相違している点、左右一対の照光部材１５を具備している点、照光部材１の設置に伴って中間ケースの形状が相違している点以外、図９〜図１１に示した携帯電話機１′と変わるところはないので、同一の作用を成すものには、図９〜図１１と同一の符号から′(ダッシュ)を外すとともに１０を加算した１０番台の符号を附して詳細な説明は省略する。
【００６２】
上述した構成の携帯電話機１０によれば、外装ケース１３Ｏにおいて曲げ加工が為されていない部位に、板金のエッジ部１３Ｏｅを覆い隠す態様で照光部材１５を設置したことで、デザイン性を損なうことなく、外装ケース１３Ｏのエッジが露出することによる使用者への損傷を確実に防止できる。
【００６３】
また、上述した携帯電話機１０においては、透光性を備えた樹脂材料から中間ケース１３Ｍを形成するとともに、照光部材１５、１５を上記中間ケース１３Ｍと一体に形成し、ＬＥＤ(光源)１３ｏの発光を中間ケース１３Ｍを介して照光部材１５へ導光するよう構成することもでき、かくすることによって部品点数の大幅な削減を達成することが可能となる。
【００６４】
さらに、上記構成の携帯電話機１０においても、上述した携帯電話機１および携帯電話機１′と同様に、外装ケース１３Ｏのエッジが露出することによる使用者への損傷を確実に防止しつつ、デザイン性の向上をも達成することが可能であり、併せてリペア作業を容易に実施することが可能となり、さらに携帯電話機１０の機械的強度の向上、外装ケース１３Ｏと中間ケース１３Ｍとの確実な固定等、様々な作用効果を奏し得ることは言うまでもない。
【００６５】
なお、上述した実施例においては、本発明を電子機器の一態様である携帯電話機に適用した例を示したが、携帯電話機やＰＨＳ(パーソナル・ハンディホン・システム)等の通信機器、あるいは電子辞書やＰＤＡ(パーソナル・データ・アシスタンス)等の携帯情報端末に限らず、肉薄の板金から形成された外装ケースを、樹脂材料から形成された中間部材を介して、機器筐体に装着して成る様々な電子機器に対しても、本発明を極めて有効に適用し得ることは言うまでもない。
【図面の簡単な説明】
【００６６】
【図１】本発明に関わる電子機器の一例である携帯電話機の一実施例を示す外観斜視図。
【図２】(ａ)、(ｂ)および(ｃ)は、図１に示した携帯電話機の正面図、側面図および端面図。
【図３】(ａ)、(ｂ)および(ｃ)は、図１の携帯電話機における上筐体を示す外装ケース側平面図、側面図および液晶表示面側平面図。
【図４】図３中の IV−IV 線断面図。
【図５】図１の携帯電話機における上筐体を構成する外装ケース、中間部材および上内ケースを示す分解斜視図。
【図６】図１の携帯電話機における上筐体を構成する外装ケース、中間部材および上内ケースを示す分解斜視図。
【図７】図１の携帯電話機における上筐体を構成する外装ケース、中間部材および上内ケースを示す断面端面図。
【図８】(ａ)は図１の携帯電話機における上筐体を構成する外装ケースを中間部材に組付けた状態の要部断面端面図、(ｂ)は互いに組付けられた外装ケースと中間部材とを機器筐体に組付けた状態の要部断面端面図。
【図９】本発明に関わる電子機器の一例である携帯電話機の他の実施例を示す外観斜視図。
【図１０】図９の携帯電話機における上筐体を示す断面端面図。
【図１１】(ａ)は図９の携帯電話機における上筐体を構成する外装ケースを中間部材に組付けた状態の要部断面端面図、(ｂ)は互いに組付けられた外装ケースと中間部材とを機器筐体に組付けた状態の要部断面端面図。
【図１２】(ａ)、(ｂ)および(ｃ)は、本発明に関わる電子機器の一例である携帯電話機の更に他の実施例を示す正面図、側面図および端面図。
【図１３】(ａ)および(ｂ)は、外装ケースを外方から観た平面図、中間部材を取付けた外装ケースを内方から観た平面図。
【図１４】(ａ)は図１３中のａ−ａ線断面図、(ｂ)は図１３中のｂ−ｂ線断面図。
【図１５】従来の電子機器の一例である携帯電話機を示す外観斜視図。
【図１６】図１５の携帯電話機における上筐体を示す断面端面図。
【符号の説明】
【００６７】
１…携帯電話機(電子機器)、
２…下筐体、
３…上筐体、
３Ｏ…外装ケース、
３Ｏｆ…正面板、
３Ｏｓ…側板、
３Ｏｐ…突起部、
３Ｍ…中間ケース(中間部材)、
３Ｍｓ…周板、
３Ｍｐ…系合爪(係合部)、
３Ｉ…上内ケース(機器筐体)、
３Ｉｓ…サポート部、
１′…携帯電話機(電子機器)、
２′…下筐体、
３′…上筐体、
３Ｏ′…外装ケース、
３Ｏｆ′…正面板、
３Ｏｓ′…側板、
３Ｏｐ′…突起部、
３Ｍ′…中間ケース(中間部材)、
３Ｍｓ′…周板、
３Ｍｐ′…係合爪(係合部)、
３Ｉ′…上内ケース(機器筐体)、
３Ｉｓ′…サポート部、
１０携帯電話機(電子機器)、
１２…下筐体、
１３…上筐体、
１３Ｏ…外装ケース、
１３Ｍ…中間ケース(中間部材)、
１３ｅ…基板、
１３ｏ…ＬＥＤ(光源)、
１５…照光部材。
【図１】
2008311308.tif 000003
【図２】
2008311308.tif 000004
【図３】
2008311308.tif 000005
【図４】
2008311308.tif 000006
【図５】
2008311308.tif 000007
【図６】
2008311308.tif 000008
【図７】
2008311308.tif 000009
【図８】
2008311308.tif 000010
【図９】
2008311308.tif 000011
【図１０】
2008311308.tif 000012
【図１１】
2008311308.tif 000013
【図１２】
2008311308.tif 000014
【図１３】
2008311308.tif 000015
【図１４】
2008311308.tif 000016
【図１５】
2008311308.tif 000017
【図１６】
2008311308.tif 000018